【事件の表示】
　特願２００３−１８３６５２「デジタルカメラ用画像ディポジット装置」拒絶査定不服審判事件〔平成１６年　１月２９日出願公開、特開２００４−　３２７８７〕について、次のとおり審決する。
【結　論】
　本件審判の請求は、成り立たない。
【理　由】
【第１】経緯  
 　  
［１］手続  
　本願は、平成１０年２月２日に出願した特願平１０−３５４４４号の一部を平成１５年６月２７日に新たな特許出願としたものであって、手続の概要は以下のとおりである。   　  
　手続補正（明細書の補正）　：平成１５年　７月　９日
　拒絶理由通知　　　　　　　：平成１８年１１月１６日（起案日）
　意見書　　　　　　　　　　：平成１８年１２月１９日　
　手続補正（明細書の補正）　：平成１８年１２月１９日  
　拒絶査定　　　　　　　　　：平成１９年　２月２１日（起案日）  
　拒絶査定不服審判請求　　　：平成１９年　３月１４日  
　　 
［２］査定  
　原審での査定の理由は、概略、以下のとおりである。  
　
〈査定の理由〉 　  
　本願の請求項１から６までに係る発明は、下記刊行物に記載された発明に基づいて当業者が容易に発明をすることができたものであるから、特許法第２９条第２項の規定により、特許を受けることができない。  
　　　　　記（刊行物）  
　刊行物１：特開平６−３５１０１２号公報  
　刊行物２：特開平７−２４０８６６号公報 
　刊行物３：特開平３−８０６７４号公報 
　刊行物４：特開平９−１４９３６２公報
　刊行物５：特開平４−１５５８２公報
　 　  
【第２】本願発明
　
　本願の請求項１から請求項６までに係る発明は、本願明細書及び図面（平成１５年７月９日付け及び平成１８年１２月１９日付けの手続補正書により補正された明細書及び図面）の記載からみて、それぞれ、その特許請求の範囲の請求項１から請求項６までに記載した事項により特定されるとおりのものであるところ、そのうち、請求項１に係る発明（以下「本願発明」という。）は、下記のとおりのものである。
　　　　　　記（本願発明）
　デジタルカメラを装着可能な装着部と、
　この装着部に装着されたデジタルカメラに記録されている画像を取込む画像取込手段と、
　この画像取込手段により取込まれた画像を記録するメモリと、
　
このメモリに記録されている画像の外部装置への出力を指示する出力指示ボタンと、
　
前記メモリに記録されている画像を外部装置へ出力する外部出力手段と、
第１の制御手段
　
前記出力指示ボタンが操作された場合に、前記メモリに記録されている画像を前記外部出力手段により外部装置へ出力する第２の制御手段と、
　を備えたことを特徴とするデジタルカメラ用画像ディポジット装置。
　
【第３】当審の判断
　
[１]引用刊行物の記載
　原査定の拒絶理由に引用された刊行物１：特開平６−３５１０１２号公報には、名称を「画像機器」とする発明について、図面と共に、次に掲げる事項が記載されている。 
　
〈特許請求の範囲、請求項１〜６〉 　 
　(K1)「【請求項１】  撮像手段と、この撮像手段により撮像した画像データを記憶する記憶手段と、上記画像データを表示する表示手段とを備えた電子カメラと、
上記電子カメラを着脱可能に電気的かつ機械的に結合する結合手段と、上記電子カメラが結合されたときに該電子カメラの電源を充電する充電手段と、テレビジョン受像機に接続することによって上記電子カメラの記憶手段に記憶された画像データを該テレビジョン受像機に供給する外部テレビ接続手段とを備えたステーションと、
からなり、
上記ステーションは電話回線と接続され、上記電子カメラにより撮像した画像データを変調して電話回線に送出するとともに、電話回線を介して送られてくる画像データを復調して取り込む通信手段を具備していることを特徴とする画像機器。
【請求項２】  上記電子カメラは、電話回線と接続する手段と、上記撮像手段により撮像した画像データを変調して電話回線に送出する手段を具備していることを特徴とする請求項１記載の画像機器。
【請求項３】  上記ステーションは、上記電子カメラの記憶手段よりも大容量の記憶手段を備え、上記電子カメラにより撮像した画像データを記憶することを特徴とする請求項１又は請求項２の何れかに記載の画像機器。
【請求項４】  上記電子カメラは、テレビジョンチューナを備えていることを特徴とする請求項１、請求項２又は請求項３の何れかに記載の画像機器。
【請求項５】  上記ステーションは、印刷手段を備え、上記電子カメラにより撮像された画像データ若しくは上記テレビジョンチューナにより受信された画像データを印刷することを特徴とする請求項１、請求項２、請求項３又は請求項４の何れかに記載の画像機器。
【請求項６】  上記印刷手段は、カード型シール紙にカラー印刷を行なうことを特徴とする請求項５記載の画像機器。」
　
　〈目的、解決しようとする課題・解決するための手段〉
　(K2)「【００１５】
【発明が解決しようとする課題】しかしながら、このような従来の画像データ及び音声データを圧縮して伝送する画像機器にあっては、圧縮したデータを伝送するために、画像入力部であるカメラ、画像表示部であるＣＲＴ（Cathode Ray Tube）、音声入出力部である電話機が一体となって構成されていたため、装置の小型・軽量化が難しく、携帯型の装置を得難いといった問題点や、既存の電話機を使用できないという問題点があった。すなわち、従来の画像機器は、据え置き型を前提として作られており、一度設置したら他の場所に移動して使うことは困難であった。
【００１６】ところで、最近、液晶表示装置の高画質化が進み、ＣＲＴに代わる表示装置として注目されており、この液晶表示装置を採用することで、消費電力を少なくするとともに、装置の小型・軽量化を図ることが可能である。また、液晶表示装置に表示された画面情報を、より大画面の画像表示装置に表示したり、比較的大容量のメモリに記憶しておきたい場合がある。
【００１７】しかし、このように装置の小型・軽量化が可能になっても、従来の画像機器では、上記機能を実現するためには各種入出力端子や電源端子等をその都度接続しなければならず、面倒であった。また、携帯性を重視する観点から大画面の液晶表示装置や大容量のメモリを搭載することは困難である。
【００１８】特に、携帯性を重視した画像機器の場合、頻繁に装置を持ち運ぶことが考えられ、携帯時には入出力端子等を外し、送受信時には入出力端子等を接続し直す作業を繰り返す必要があり手間がかかっていた。また、この接続とは別に、適宜、画像機器のバッテリ充電を行なう必要があり、長時間の送受信をしようとする場合等はバッテリ接続の作業を併せて行なわなければならず、さらに面倒であった。
【００１９】また、各種入出力端子や電源端子等をその都度接続するという形態上、取り扱いに不慣れな人が簡単に接続することは難しく、誰でもが簡便に使用するというわけにはいかなかった。そこで本発明は、小型・軽量化を図り、携帯しての利用を可能にするとともに、各種入出力端子や電源端子等を逐一接続することなく様々な拡張機能を付加することのできる画像機器を提供することを目的とする。
【００２０】
【課題を解決するための手段】請求項１記載の発明は・・・
【００２１】上記電子カメラは、例えば請求項２に記載されているように、・・・
【００２２】また、上記ステーションは、例えば請求項３に記載されているように・・・
【００２３】また、上記ステーションは、例えば請求項５に記載されているように、印刷手段を備え、上記電子カメラにより撮像された画像データ若しくは上記テレビジョンチューナにより受信された画像データを印刷するものであってもよく、上記印刷手段は、例えば請求項６に記載されているように、カード型シール紙にカラー印刷を行なうものであってもよい。」
　
　〈作用〉
　(K3)「【００２５】従って、電子カメラを単体で使用するときには、液晶表示部を採用したことにより小型・軽量化が図られて携帯しての利用が可能になり、電子カメラをステーションにドッキングさせるだけで、入出力端子等の接続をすることなく画像データの家庭用テレビ等への表示、プリンタ等による印刷、外部記憶装置による記憶・保存等が可能になる。」
　
　〈実施例〉
　
　《画像ステーション＋電子カメラ》
　(K4)「【００２９】図１において、本実施例の画像ステーションを備えた電子カメラは、小型・軽量化により携帯しての利用を可能にするとともに、画像ステーションに着脱可能に接続される電子カメラ１００と、電子カメラ１００が着脱可能に接続されるとともに、家庭用テレビ受信機に画像データを表示する表示機能、画像データを印刷する印刷機能、テレビ電話機能を含むデータ通信機能等を備え、電子カメラ１００とドッキングすることによって、電子カメラ１００の機能を拡張又は補完する画像ステーション１５０とにより構成されている。」
　
　《電子カメラ》
　(K5)「【００４２】また、図１に示すように筐体１０１の底面には、映像データ及び音声データの送受信が可能な画像ステーション１５０の筐体１５１の凹部に設けられたＩ／Ｏポート（図示略）に接続するためのＩ／Ｏポート１１１が設けられている。  さらに、筐体１０１の底面には、図１に示すように画像ステーション１５０の筐体１５１の収納部１５１ａに設けられた電源供給端子（図示略）に接触して、電子カメラ１００に所定電圧値の直流電圧を供給するための電源供給端子１１２が設けられている。」
　
　《画像ステーション１５０》
　(K6)「【００４４】一方、上記画像ステーション１５０は、携帯しての利用が可能な軽量小型の電子カメラ１００とドッキングすることによって、電子カメラ１００の機能を拡張又は補完するステーションとなるもので、本実施例の画像ステーション１５０は、拡張又は補完機能として内部にモデム（MODEM：MOdulation and DEModulation）及びＮＣＵ（Network Control Unit）を備えた電話機能を有するとともに、画像データを印刷可能なプリンタを有し、さらに図１に示すように電話回線２０１と電話機２０２との間に接続したままの状態にしておくようにし、画像・音声の入出力３端子ケーブルもテレビ受信機２５０に接続したままの状態にしておくようにする。また、画像ステーション１５０は、電子カメラ１００に所定電圧値の直流電圧を供給するための電源供給回路１７５（図４で後述）を備えている。従って、電子カメラ１００を、画像ステーション１５０にドッキングさせるだけでこれらの機能を直ちに使用ことができ、電子カメラ１００の機能を拡張又は補完することが可能になる。
【００４５】図１において、画像ステーション１５０は、その筐体１５１の上部が上記ポケット型の電子カメラ１００を、使用者が視認し易いように所定角度傾斜した状態で、安定して載置するための収納部１５１ａとなっており、収納部１５１ａは、電子カメラ１００をドッキングさせたとき電子カメラ１００が緩傾斜して直立可能なように電子カメラ１００の筐体１０１の横方向と奥行きよりも少し大きい形状に形成され、筐体１０１の裏面を支える部分が所定の高さだけ上方に伸びた形状になっている。従って、電子カメラ１００の底部を、画像ステーション１５０の筐体１５１の収納部１５１ａに収納することにより電子カメラ１００が画像ステーション１５０にドッキングされることになる。
【００４６】また、筐体１５１の収納部１５１ａ内の底部には、電子カメラ１００の底部に設けられたＩ／Ｏポート１１１に接続するためのＩ／Ｏポート（図示略）が設けられているとともに、電子カメラ１００の底部に設けられた電源供給端子１１２に接続するための電源供給端子（図示略）が設けられている。従って、電子カメラ１００を、画像ステーション１５０の筐体１５１の収納部１５１ａにドッキングさせるとＩ／Ｏポート１１１同士が係合して接続され、電子カメラ１００と画像ステーション１５０の間のデータの送・受信が可能になり、これによって電子カメラ１００から送られてくる画像データを印刷部１９１（図５）でカラー印刷可能になる。また、家庭用テレビ受信機２５０に画像データを表示することができる。さらに、電源供給端子同士が係合して接続され、電子カメラ１００に画像ステーション１５０の電源供給回路１７５（後述）から所定電圧値の直流電圧を供給することが可能になる。
【００４７】また、筐体１５１の下部は、画像データをカードシール１８０上に印刷するカードシールプリンタ部１５１ｂとなっており、カードシールプリンタ部１５１ｂは、内部の大容量記憶装置に記憶された画像データをカードシール１８０上にカラーで印刷することができるとともに、電子カメラ１００が画像ステーション１５０の収納部１５１ａにドッキングされると、ドッキングした電子カメラ１００からの画像データの受信して、受信した画像データをカードシール１８０上にカラーで印刷することができる。
　
　(K7)「【００４９】また、筐体１５１のカードシールプリンタ部１５１ｂの前面には、画像ステーション１５０のメイン電源のオン／オフを行なう電源スイッチ１５２、カードシール台紙１８１上に印刷されたカードシール１８０が出力されるカードシール出力口１５３、カードシール１８０が紙詰まりしたとき等に紙詰まり状態を解除するために開閉する蓋１５４が設けられている。また、筐体１５１の収納部１５１ａの前面には、画像ステーション１５０におけるカードシール印刷処理を含む各種処理の選択に際してオペレータが指示するための複数のキースイッチ１５５、このキースイッチ１５５による印刷箇所の指定、印刷枚数及びカードシールの印刷状態等を表示する表示部１５６が設けられている。
【００５０】また、筐体１５１の裏面には、ＬＩＮＥ側入出力端子１Ｌ及びＴＥＬ側入出力端子１Ｔと、映像信号を入出力するためのピン端子１６１と、音声信号を入出力するためのピン端子１６２，１６３と、ＶＨＦ信号を入力するためのＶＨＦアンテナ端子１６４と、ＵＨＦ信号を入力するためのＵＨＦアンテナ端子１６５と、映像信号を入出力するためのＳ端子１６６と、電源コード（図示略）とが設けられている。すなわち、筐体１５１の裏面には、入出力端子１Ｌ、１Ｔが設けられており、入出力端子モジュラージャック式コンセント２０１と電話機２０２との間に介在して設けられ、モジュラープラグ２０３を有するモジュラーケーブル２０４によってその間が接続されている。
【００５１】上記ピン端子１６１、１６２、１６３には、３端子ケーブル２５２の入出力プラグ２５１が接続され、３端子ケーブル２５２の入出力プラグ２５１の他端はテレビ受信機２５０の外部入出力端子（図示略）に接続されている。
【００５２】この場合、画像ステーション１５０は自宅等に設置しておくことを前提にしているため、画像ステーション１５０のＬＩＮＥ側入出力端子１Ｌ及びＴＥＬ側入出力端子１Ｔを、常時、自宅の電話回線２５１及び電話機２５２に接続したままの状態にしておくようにする。また、画像ステーション１５０のピン端子１６１、１６２、１６３についても３端子ケーブル２５２を介して、常時、自宅のテレビ受信機２５０に接続したままの状態にしておくようにする。
【００５３】このようにすれば、電子カメラ１００を、画像ステーション１５０にドッキングさせるだけで、電子カメラ１００が画像ステーション１５０を介在して電話回線等に接続されることになり電子カメラ１００と電話回線等を介して接続された他の画像機器との間でデータの送受信が可能になる。また、電子カメラ１００の画像データを画像ステーション１５０を介在して自宅の大画面のテレビ受信機２５０に直ちに映し出すことができるとともに、電子カメラ１００及び画像ステーション１５０をテレビ電話装置として使用する場合に、相手方の画像をより大画面で映し出すことが可能になる。」
　
　《電子カメラ１００、図３》
　(K8)「【００６５】バッファメモリ２０は、画像圧縮・伸張回路１９によって圧縮処理された圧縮画像データを一時的に記憶するものであり、バッファメモリ２０に圧縮された状態で蓄えられた画像データは、ＣＰＵ１６からの制御命令に基づいて順次読み出される。
【００６６】ここで、バッファメモリ２０の記憶容量を充分に確保することにより、カメラ部１０２より取り込んだ画像データを圧縮した状態で複数格納しておくことができ、これを利用して本実施例のように電子カメラ１００を電子スチルカメラとして利用することができる。
【００６７】さらに、バッファメモリ２０に格納した画像データを、Ｉ／Ｏポート５０を通して画像ステーション１５０側に伝送することにより、画像ステーション１５０に接続された大画面のテレビ受信機２５０で見ることができ、印刷部１９１でフルカラー印刷できる。
【００６８】ＡＤＣ２１は、カメラ部１０２から入力される画像信号（アナログ信号）を画像処理回路１２内で処理可能な信号（ディジタル信号）に変換してビデオメモリ２２に出力するものである。
【００６９】ビデオメモリ２２，２３は、ＶＲＡＭ（Video ＲＡＭ）から構成され、ＡＤＣ２１から出力される画像データ（ディジタルデータ）、または画像圧縮・伸張回路１９により圧縮・伸張された画像データ（ディジタルデータ）を格納するための半導体画像メモリである。」
　
　《画像ステーション１５０、図４》
　(K9)「【００８４】図４は、図１に示した画像ステーション１５０の概略構成を示すブロック図である。図４において、画像ステーション１５０は、電源スイッチ１５２、キースイッチ１５５、表示部１５６、制御部１７０、外部記憶装置１７４、プリンタ画像処理部１９０、印刷部１９１、変調・復調部１４、Ｉ／Ｏポート５２から構成されている。
【００８５】キースイッチ１５５は、画像ステーション１５０における各種処理の選択とモデム３１及びＮＣＵ３０の通信環境を設定するとともに、モード切り替えによって印刷箇所や印刷枚数のカードシール印刷処理を指定するためのものである。
【００８６】表示部１５６は、通信状態を表示するとともに、モード切り替えによって印刷枚数及びカードシールの印刷状態等を表示する制御部１７０は、ＣＰＵ１７１、ＲＡＭ１７２、ＲＯＭ１７３から構成されている。
【００８７】ＣＰＵ１７１は、画像ステーション１５０内の各部を制御するとともに、接続される通信回線種に応じた通信制御プログラムを実行する。また、ＣＰＵ１７１は、画像ステーション１５０上に電子カメラ１００が載置されたとき、相手先の画像機器（例えば、テレビ電話装置）から多重化して送信される画像データ及び音声データを受信し、変調・復調部１４により復調されて入力されると、復調された画像データ及び音声データを分離処理し、圧縮画像データを電子カメラ１００の画像圧縮・伸張回路１９に出力するとともに、圧縮音声データを電子カメラ１００の音声圧縮・伸張回路２７に出力するものである。
【００８８】さらに、ＣＰＵ１７１は、電子カメラ１００の画像圧縮・伸張回路１９から入力される圧縮画像データと音声圧縮・伸張回路２７から入力される圧縮音声データとを多重化し、画像データ及び音声データとして変調・復調部１４に出力するものである。
【００８９】ＲＡＭ１７２は、ＣＰＵ１７１により実行されるプログラム処理において利用されるプログラムデータや、送信すべき音声データ等を格納する半導体メモリである。
【００９０】ＲＯＭ１７３は、画像ステーション１５０内で利用されるプログラムやデータ等を格納する半導体メモリである。
【００９１】外部記憶装置１７４としては、多数の画像データを記憶可能な高速大容量の磁気ディスク装置や、光磁気ディスク装置が用いられる。磁気ディスク装置として、着脱自在のパック式ハードディスクを使用すれば、パック式ハードディスクを交換することによって多数の画像データを一括して分類して保存し・交換することができる。」
　　
　《動作》
　(K10)「【０１１３】次に、本実施例の動作を説明する。
【０１１４】本実施例の電子カメラ１００及び画像ステーション１５０は、電子カメラ１００本体を小型軽量化することによって携帯しての利用を可能にするとともに、自宅等に設置した画像ステーション１５０とドッキングすることによって、電子カメラ１００の機能を拡張又は補完するようにしたものである。
【０１１５】（１）具体的には、電子カメラ１００は、カメラ部１０２より取り込んだ画像データを圧縮した状態で複数格納する電子スチルカメラとしての機能を有し、画像ステーション１５０はその電子スチルカメラの拡張・補完ステーションとしての機能を有する。
【０１１６】この場合の画像ステーション１５０側の拡張又は補完機能としては、電子カメラ１００から送られた画像データを画像ステーション１５０に接続された家庭用テレビ受信機２５０に大画面で映し出すモニタ機能と、電子カメラ１００から送られた画像データを画像ステーション１５０の大容量の外部記憶装置１７４に記憶・保存する機能と、電子カメラ１００から送られた画像データ及び外部記憶装置１７４に記憶された画像データ等をカードシールプリンタ部１５１ｂ内部の印刷部１９１によってカードシール１８０上にフルカラーで印刷するプリンタ機能と、がある。
【０１１７】このように、本実施例の画像機器は、電子スチルカメラとしての機能とその電子スチルカメラの拡張・補完するステーションとしての機能を備えていることを特徴とするものであるが、本実施例の画像機器では、上記電子スチルカメラ機能に加えて内部にモデム及びＮＣＵを備えた電話機能を有することも特徴としている。
【０１１８】（２）電話機能を用いた場合の画像ステーション１５０側の拡張又は補完機能としては、画像ステーション１５０を介在して電話回線２０１及び電話機２０２に電子カメラ１００を接続する拡張ステーション機能と、拡張ステーション機能によって接続された他のテレビ電話装置（画像機器）との間で、電子カメラ１００のカメラ部１０２で取り込んで画像処理部１２で画像処理した画像データを電話機能を使用して相手方のテレビ電話装置に送出するとともに、接続された電話機２０２による音声データを電話機能を使用して相手方のテレビ電話装置に送出する送信機能、及び、相手方のテレビ電話装置から送出された画像データを、電話機能によって受信して電子カメラ１００の表示部１０３及び画像ステーション１５０に接続されたテレビ受信機２５０に映し出すとともに、相手方のテレビ電話装置から送出された音声データを、電話機能によって受信して接続された電話機２０２により放音する受信機能からなるテレビ電話機能と、相手方のテレビ電話装置から送出された画像データを画像ステーション１５０の大容量の外部記憶装置１７４に記憶・保存する機能と、相手方のテレビ電話装置から送出された画像データをカードシールプリンタ部１５１ｂ内部の印刷部１９１によってカードシール１８０上にフルカラーで印刷するプリンタ機能と、がある。
【０１１９】〜【０１２２】　（略）
【０１２３】まず、図３に示す制御部１１及び図４に示す制御部１７０による動作について説明する。制御部１１及び制御部１７０による動作によって上記テレビ電話機能及び電子スチルカメラとしての機能が実現される。」
　
　(K11)「【０１３２】画像送信処理では、カメラ部１０２によって撮像された画像データがＡＤＣ２１を介してビデオメモリ２２に格納され、画像圧縮・伸張回路１９によってビデオメモリ２２内に格納された画像データが所定の圧縮処理により圧縮される。
【０１３３】そして、圧縮された画像データはバス１５及びＩ／Ｏポート５０，５１を介して画像ステーション１５０の変復調部１４に出力され、変復調部１４によって通信相手に伝送される。ここで、通話の最中にＬＣＤ３５に表示される自画像（送信画像）を記録したい場合、オペレータにより画像記録用のキースイッチ１０が押下されることにより、ビデオメモリ２３に画像データが格納される。」
　
　(K12)「【０１６４】（送信処理）送信処理においては、カメラ１０２で撮影された画像データは、ＡＤＣ２１によりＡ／Ｄ変換され、Ａ／Ｄ変換された画像データは、ビデオメモリ２２に出力される。ビデオメモリ２２に取り込まれた画像データは、画像圧縮・伸張回路１９により圧縮処理され、バッファメモリ２０に一時的に記憶される。このバッファメモリ２０に圧縮された状態で蓄積された画像データは、ＣＰＵ１６からの制御信号により順次読み出されることになる。」
　
　《画像処理部１９０の動作、印刷動作、図５》
　(K13)「【０１９２】次に、図５に示すプリンタ画像処理部１９０による動作について説明する。
【０１９３】プリンタ画像処理部１９０では、入力された画像データを、カードシールプリンタ部１５１ｂ内部の印刷部１９１によりカードシール１８０上にフルカラーで印刷する動作を行なう。
【０１９４】この場合、入力画像データとしては、ビデオ入力の場合のアナログビデオ信号の他、電子カメラ１００から送られた画像データ、外部記憶装置１７４に記憶された画像データまたはＩＣカードを結合した場合にＩＣカードから読み出したデータが入力される。
【０１９５】略
【０１９６】略
【０１９７】一方、Ｉ／Ｃカードを結合した場合のようにディジタルビデオ信号がプリンタ画像処理部１９０に入力された場合、ディジタルビデオ信号はディジタルインターフェース１９７に入力され、ディジタルインターフェース１９７は入力されたディジタルビデオ信号をメモリ１９６に記憶できるデータに変換してメモリ１９６に格納する。
【０１９８】メモリ１９６は、印刷すべき画像データを記憶するとともに、ＣＰＵ１７１からの所定の画像データを出力させる指示があると指示された画像データを読み出してＹＭＣ変換回路１９８に出力する。ＹＭＣ変換回路１９８では、メモリ１９６から読み出した画像データを、印刷部１９１でフルカラー印刷できるようにイエローＹ、マゼンタＭ、シアンＣの各色素データに変換して印刷部１９１に出力する。印刷部１９１は、ＹＭＣ変換回路１９８から出力されたイエローＹ、マゼンタＭ、シアンＣの各色素データに基づいて画像データをカードシール１８０上にフルカラー印刷する。」
　
　
［２］本願発明と引用発明との対比（対応関係）
　
　（１）刊行物１に記載された発明
　
　〈概要〉
　刊行物１には、
概要
　すなわち、
　《目的》前掲(K2)（段落0015〜段落0019）を目的、解決しようとする課題とするものであって、
　《構成》その構成を、前掲(K1)において、請求項３を通して請求項１を引用する請求項５のうちの、印刷手段が「電子カメラにより撮像された画像データを印刷する」もの、すなわち、
　「撮像手段と、この撮像手段により撮像した画像データを記憶する記憶手段と、上記画像データを表示する表示手段とを備えた電子カメラと、
　上記電子カメラを着脱可能に電気的かつ機械的に結合する結合手段と、上記電子カメラが結合されたときに該電子カメラの電源を充電する充電手段と、テレビジョン受像機に接続することによって上記電子カメラの記憶手段に記憶された画像データを該テレビジョン受像機に供給する外部テレビ接続手段とを備えたステーションと、
からなり、
　上記ステーションは、電話回線と接続され、上記電子カメラにより撮像した画像データを変調して電話回線に送出するとともに、電話回線を介して送られてくる画像データを復調して取り込む通信手段を具備し（請求項１）、
  上記ステーションは、上記電子カメラの記憶手段よりも大容量の記憶手段を備え、上記電子カメラにより撮像した画像データを記憶するものであり（請求項３）、
　上記ステーションは、印刷手段を備え、上記
電子カメラにより撮像された画像データを印刷する
　画像機器。」
　とし、
　《作用効果》前掲(K3)（段落0025）の作用効果、すなわち、電子カメラを単体で使用するときには、液晶表示部を採用したことにより小型・軽量化が図られて携帯しての利用が可能になり、電子カメラをステーションにドッキングさせるだけで、入出力端子等の接続をすることなく画像データの家庭用テレビ等への表示、プリンタ等による印刷、外部記憶装置による記憶・保存等が可能になるもの。
　
　〈詳細〉
　そして、その詳細について【発明の詳細な説明】をみると、次の通りのことが認められる。
　
　
電子カメラ
　
　ア　上記「電子カメラ」（「撮像手段と、この撮像手段により撮像した画像データを記憶する記憶手段と、上記画像データを表示する表示手段とを備えた電子カメラ」）
　
　(K4)「【００２９】図１において、本実施例の画像ステーションを備えた電子カメラは、小型・軽量化により携帯しての利用を可能にするとともに、画像ステーションに着脱可能に接続される電子カメラ１００と、電子カメラ１００が着脱可能に接続されるとともに、家庭用テレビ受信機に画像データを表示する表示機能、画像データを印刷する印刷機能、テレビ電話機能を含むデータ通信機能等を備え、電子カメラ１００とドッキングすることによって、電子カメラ１００の機能を拡張又は補完する画像ステーション１５０とにより構成されている。」、
　(K8)「【００６５】バッファメモリ２０は、画像圧縮・伸張回路１９によって圧縮処理された圧縮画像データを一時的に記憶するものであり、バッファメモリ２０に圧縮された状態で蓄えられた画像データは、ＣＰＵ１６からの制御命令に基づいて順次読み出される。
【００６６】ここで、バッファメモリ２０の記憶容量を充分に確保することにより、カメラ部１０２より取り込んだ画像データを圧縮した状態で複数格納しておくことができ、これを利用して本実施例のように電子カメラ１００を電子スチルカメラとして利用することができる。」、
　(K10)「【０１１５】（１）具体的には、電子カメラ１００は、カメラ部１０２より取り込んだ画像データを圧縮した状態で複数格納する電子スチルカメラとしての機能を有し、画像ステーション１５０はその電子スチルカメラの拡張・補完ステーションとしての機能を有する。」、
　によれば、
　
　上記「電子カメラ」は、「カメラ部と、このカメラ部により撮像した画像データを記憶する記憶手段としてのバッファメモリ２０の記憶容量を充分に確保してカメラ部１０２より取り込んだ画像データを複数格納しておくことができる電子スチルカメラ」といえる。　
　
　
ステーション
　
　イ　結合手段（「上記電子カメラを着脱可能に電気的かつ機械的に結合する結合手段」）関連
　
　(K5)「【００４２】また、図１に示すように筐体１０１の底面には、映像データ及び音声データの送受信が可能な画像ステーション１５０の筐体１５１の凹部に設けられたＩ／Ｏポート（図示略）に接続するためのＩ／Ｏポート１１１が設けられている。  さらに、筐体１０１の底面には、図１に示すように画像ステーション１５０の筐体１５１の収納部１５１ａに設けられた電源供給端子（図示略）に接触して、電子カメラ１００に所定電圧値の直流電圧を供給するための電源供給端子１１２が設けられている。」、
　(K6)「【００４６】また、筐体１５１の収納部１５１ａ内の底部には、電子カメラ１００の底部に設けられたＩ／Ｏポート１１１に接続するためのＩ／Ｏポート（図示略）が設けられているとともに、電子カメラ１００の底部に設けられた電源供給端子１１２に接続するための電源供給端子（図示略）が設けられている。従って、電子カメラ１００を、画像ステーション１５０の筐体１５１の収納部１５１ａにドッキングさせるとＩ／Ｏポート１１１同士が係合して接続され、電子カメラ１００と画像ステーション１５０の間のデータの送・受信が可能になり」、
　によれば、
　
　上記「ステーション」は、「電子カメラの機能を拡張又は補完する電話機能を内蔵した画像ステーション」であり、
　上記「結合」用に、「上記電子カメラ（電子スチルカメラ）を着脱可能に、Ｉ／Ｏポートと電源供給端子で電気的に結合しかつ機械的に結合する収納部」を有し、
　「上記電子カメラ（電子スチルカメラ）を、画像ステーションの収納部にドッキングさせるとＩ／Ｏポート同士が係合して接続され、電子カメラと画像ステーションの間のデータの送・受信が可能となるもの」である。
　
　ウ　外部テレビ接続手段（「テレビジョン受像機に接続することによって上記電子カメラの記憶手段に記憶された画像データを該テレビジョン受像機に供給する外部テレビ接続手段」）関連
　
　(K6)「【００４６】・・・電子カメラ１００を、画像ステーション１５０の筐体１５１の収納部１５１ａにドッキングさせるとＩ／Ｏポート１１１同士が係合して接続され、電子カメラ１００と画像ステーション１５０の間のデータの送・受信が可能になり、これによって電子カメラ１００から送られてくる画像データを印刷部１９１（図５）でカラー印刷可能になる。また、家庭用テレビ受信機２５０に画像データを表示することができる。」、
　(K7)「【００５３】このようにすれば、電子カメラ１００を、画像ステーション１５０にドッキングさせるだけで、電子カメラ１００が画像ステーション１５０を介在して電話回線等に接続されることになり電子カメラ１００と電話回線等を介して接続された他の画像機器との間でデータの送受信が可能になる。また、電子カメラ１００の画像データを画像ステーション１５０を介在して自宅の大画面のテレビ受信機２５０に直ちに映し出すことができる」、
　(K8)「【００６７】さらに、バッファメモリ２０に格納した画像データを、Ｉ／Ｏポート５０を通して画像ステーション１５０側に伝送することにより、画像ステーション１５０に接続された大画面のテレビ受信機２５０で見ることができ、印刷部１９１でフルカラー印刷できる。」、
　によれば、
　
　「電子カメラ（電子スチルカメラ）を、画像ステーションの収納部にドッキングさせると
　電子カメラのバッファメモリ２０に格納した画像データを、Ｉ／Ｏポートを通して画像ステーション側に伝送し、画像ステーションに外部テレビ接続手段で接続された大画面のテレビ受信機に伝送して表示でき、また、印刷手段でフルカラー印刷できる」ようになっている。
　
　エ　記憶手段（「上記電子カメラの記憶手段よりも大容量の記憶手段を備え、上記
電子カメラにより撮像した画像データを記憶する
　
　(K3)「【００２５】従って、電子カメラを単体で使用するときには、液晶表示部を採用したことにより小型・軽量化が図られて携帯しての利用が可能になり、電子カメラをステーションにドッキングさせるだけで、入出力端子等の接続をすることなく画像データの家庭用テレビ等への表示、プリンタ等による印刷、外部記憶装置による記憶・保存等が可能になる。」、
　(K9)「【００９１】外部記憶装置１７４としては、多数の画像データを記憶可能な高速大容量の磁気ディスク装置や、光磁気ディスク装置が用いられる。磁気ディスク装置として、着脱自在のパック式ハードディスクを使用すれば、パック式ハードディスクを交換することによって多数の画像データを一括して分類して保存し・交換することができる。」、
　(K10)「【０１１６】この場合の画像ステーション１５０側の拡張又は補完機能としては、電子カメラ１００から送られた画像データを画像ステーション１５０に接続された家庭用テレビ受信機２５０に大画面で映し出すモニタ機能と、電子カメラ１００から送られた画像データを画像ステーション１５０の大容量の外部記憶装置１７４に記憶・保存する機能と、・・・がある。」、
　によれば、
　
　ステーションが備える上記「記憶手段」は、
　「上記電子カメラの記憶手段よりも大容量の外部記憶装置であって、多数の画像データを記憶可能な高速大容量の磁気ディスク装置や、光磁気ディスク装置やハードディスクからなり、上記電子カメラにより撮像した画像データを記憶・保存する記憶手段」である。
　
　オ　印刷手段（「印刷手段を備え、上記電子カメラにより撮像された画像データを印刷するもの」）関連
　
　(K7)「【００４９】・・・また、筐体１５１の収納部１５１ａの前面には、画像ステーション１５０におけるカードシール印刷処理を含む各種処理の選択に際してオペレータが指示するための複数のキースイッチ１５５、このキースイッチ１５５による印刷箇所の指定、印刷枚数及びカードシールの印刷状態等を表示する表示部１５６が設けられている。」、
　(K9)「【００８５】キースイッチ１５５は、画像ステーション１５０における各種処理の選択とモデム３１及びＮＣＵ３０の通信環境を設定するとともに、モード切り替えによって印刷箇所や印刷枚数のカードシール印刷処理を指定するためのものである。」、
　(K10)「【０１１６】この場合の画像ステーション１５０側の拡張又は補完機能としては、・・・電子カメラ１００から送られた画像データ及び外部記憶装置１７４に記憶された画像データ等をカードシールプリンタ部１５１ｂ内部の印刷部１９１によってカードシール１８０上にフルカラーで印刷するプリンタ機能と、がある。」、
　(K13)「【０１９２】次に、図５に示すプリンタ画像処理部１９０による動作について説明する。
【０１９３】プリンタ画像処理部１９０では、入力された画像データを、カードシールプリンタ部１５１ｂ内部の印刷部１９１によりカードシール１８０上にフルカラーで印刷する動作を行なう。【０１９３】プリンタ画像処理部１９０では、入力された画像データを、カードシールプリンタ部１５１ｂ内部の印刷部１９１によりカードシール１８０上にフルカラーで印刷する動作を行なう。
【０１９４】この場合、入力画像データとしては、ビデオ入力の場合のアナログビデオ信号の他、電子カメラ１００から送られた画像データ、外部記憶装置１７４に記憶された画像データまたはＩＣカードを結合した場合にＩＣカードから読み出したデータが入力される。」、
「【０１９７】一方、Ｉ／Ｃカードを結合した場合のようにディジタルビデオ信号がプリンタ画像処理部１９０に入力された場合、ディジタルビデオ信号はディジタルインターフェース１９７に入力され、ディジタルインターフェース１９７は入力されたディジタルビデオ信号をメモリ１９６に記憶できるデータに変換してメモリ１９６に格納する。
【０１９８】メモリ１９６は、印刷すべき画像データを記憶するとともに、ＣＰＵ１７１からの所定の画像データを出力させる指示があると指示された画像データを読み出してＹＭＣ変換回路１９８に出力する。ＹＭＣ変換回路１９８では、メモリ１９６から読み出した画像データを、印刷部１９１でフルカラー印刷できるようにイエローＹ、マゼンタＭ、シアンＣの各色素データに変換して印刷部１９１に出力する。印刷部１９１は、ＹＭＣ変換回路１９８から出力されたイエローＹ、マゼンタＭ、シアンＣの各色素データに基づいて画像データをカードシール１８０上にフルカラー印刷する。」、
　および、図１によれば、
　
　上記「ステーション」には、「上記印刷手段による印刷処理を含む各種処理の選択に際してオペレータが指示するための、図１に連続する４つの四角形で示される複数のキースイッチ１５５、このキースイッチ１５５による印刷箇所の指定、印刷枚数及びカードシールの印刷状態等を表示する表示部１５６が設けられ、
　印刷手段は、電子カメラから送られた画像データ、外部記憶装置１７４に記憶・保存された画像データ、がプリンタ画像処理部１９０に入力されて印刷するもの」であり、
　電子カメラから送られた画像データ、外部記憶装置１７４に記憶された画像データはデジタルデータであるから、
　ディジタルインターフェース１９７に入力され、ディジタルインターフェース１９７は入力されたディジタルビデオ信号をメモリ１９６に記憶できるデータに変換してメモリ１９６に格納し、
　「ＣＰＵ１７１からの所定の画像データを出力させる指示があると指示された画像データがメモリ１９６から読み出して印刷されるもの」である。
　
　以上によれば、本願発明と対比する、刊行物１に記載された発明（以下、「引用発明」という。）として、下記の発明を認定することができる。
　
　　　　　　　記（引用発明）
　撮像手段と、この撮像手段により撮像した画像データを記憶する記憶手段と、上記画像データを表示する表示手段とを備えた電子カメラと、
　上記電子カメラを着脱可能に電気的かつ機械的に結合する結合手段と、上記電子カメラが結合されたときに該電子カメラの電源を充電する充電手段と、テレビジョン受像機に接続することによって上記電子カメラの記憶手段に記憶された画像データを該テレビジョン受像機に供給する外部テレビ接続手段とを備えたステーションと、
からなり、
　上記ステーションは、電話回線と接続され、上記電子カメラにより撮像した画像データを変調して電話回線に送出するとともに、電話回線を介して送られてくる画像データを復調して取り込む通信手段を具備し、
  上記電子カメラの記憶手段よりも大容量の記憶手段を備え、上記
電子カメラにより撮像した画像データを記憶する
　印刷手段を備え、上記電子カメラにより撮像された画像データを印刷するものである画像機器であって、
　上記電子カメラは、カメラ部と、このカメラ部により撮像した画像データを記憶する記憶手段としてのバッファメモリ２０の記憶容量を充分に確保してカメラ部１０２より取り込んだ画像データを複数格納しておくことができる「電子スチルカメラ」であり、
　上記ステーションは、上記電子スチルカメラの機能を拡張又は補完する電話機能を内蔵した「画像ステーション」であって、以下の
構成Ａ，Ｂ，Ｃ
　
　
構成Ａ
　上記電子カメラ（電子スチルカメラ）を、画像ステーションの収納部にドッキングさせるとＩ／Ｏポート同士が係合して接続され、電子カメラ（電子スチルカメラ）と画像ステーションの間のデータの送・受信が可能となり、
　電子カメラ（電子スチルカメラ）の記憶手段（バッファメモリ２０）に格納した画像データを、Ｉ／Ｏポートを通して画像ステーション側に伝送し、画像ステーションに外部テレビ接続手段で接続された大画面のテレビ受信機に伝送して表示でき、また、印刷手段でフルカラー印刷できるようになっている。
　
構成Ｂ
電子カメラ（電子スチルカメラ）により撮像した画像データを記憶・保存する
　
構成Ｃ
　上記印刷手段は、電子カメラ（電子スチルカメラ）から送られた画像データ、上記外部記憶装置に記憶・保存された画像データが、プリンタ画像処理部１９０に入力されて印刷するものであり、ＣＰＵ１７１からの所定の画像データを出力させる指示があると指示された画像データがメモリ１９６から読み出して印刷されるものである。
　
　
　（２）本願発明と引用発明との対比（対応関係） 
　　本願発明の各構成要件について、引用発明と対応して検討する。
　
　ア　「デジタルカメラ」について
　引用発明の「撮像手段と、この撮像手段により撮像した画像データを記憶する記憶手段と、上記画像データを表示する表示手段とを備えた電子カメラ」であって、「カメラ部と、このカメラ部により撮像した画像データを記憶する記憶手段としてのバッファメモリ２０の記憶容量を充分に確保してカメラ部１０２より取り込んだ画像データを複数格納しておくことができる電子スチルカメラ」は、バッファメモリ２０にデジタル記憶するものであるから、「デジタルカメラ」といえ、本願発明でいう「デジタルカメラ」と相違しない。
　
　イ　「デジタルカメラ用画像ディポジット装置」（末尾）について
　本願発明は、全体を「デジタルカメラ用画像ディポジット装置」とするところ、引用発明の「ステーション」は、電子スチルカメラ（「ディジタルカメラ」といい得る）の機能を拡張又は補完する「画像ステーション」であって、「電子スチルカメラを着脱可能に、Ｉ／Ｏポートと電源供給端子で電気的に結合しかつ機械的に結合する収納部を有し」（構成Ａ）とするものであり、本願発明でいうのと同様、「デジタルカメラ用画像ディポジット装置」と称しても支障はない。
　
　以下、引用発明の、この「画像ステーション」と本願発明を比較する。
　
　ウ　「デジタルカメラを装着可能な装着部」について
　　引用発明の前記「収納部」は、「デジタルカメラを装着可能な装着部」といえ、この点、本願発明と変わらない。
　
　エ　「この装着部に装着されたデジタルカメラに記録されている画像を取込む画像取込手段」、「この画像取込手段により取込まれた画像を記録するメモリ」について
　引用発明の「画像ステーション」は、「上記電子カメラの記憶手段よりも大容量の記憶手段を備え、上記電子カメラにより撮像した画像データを記憶するもの」であり、
　引用発明は、上記構成Ａ「上記電子カメラ（電子スチルカメラ）を、画像ステーションの収納部にドッキングさせると、・・・画像ステーション側に伝送し」、上記構成Ｂ「上記画像ステーションが備える上記記憶手段は、・・・上記
電子カメラにより撮像した画像データを記憶する
　引用発明の「画像ステーション」も、「収納部」に収納された電子カメラ（デジタルカメラ）より撮像した画像データを取込んでいる、といえ、したがって、「ステーション」内にそのように取込むための手段の存在を認めることができ、
　また、「この画像取込手段により取込まれた画像を記録する記憶手段」を備えているということができる。
　そして、「
電子カメラ（デジタルカメラ）より撮像した画像データ
　
　以上によれば、引用発明も「この装着部に装着されたデジタルカメラに記録されている画像を取込む画像取込手段」に相当する構成、および、
　「この画像取込手段により取込まれた画像を記録する記憶手段」を備えているといえ、「メモリ」とすることを除き、本願発明と相違はない。
　すなわち、本願発明では、「この画像取込手段により取込まれた画像を記録する記憶手段」を「メモリ」とするのに対して、引用発明では、これを「磁気ディスク装置や、光磁気ディスク装置やハードディスク」としており、相違するものと認められる。
　
　オ　「このメモリに記録されている画像の外部装置への出力を指示する出力指示ボタン」について
　引用発明は、上記構成Ｃ「印刷手段による印刷処理を含む各種処理の選択に際してオペレータが指示するための、図１に連続する４つの四角形で示される複数のキースイッチ１５５」を有しており、その各々は図１に四角形で示されるその形態からみて、本願発明でいう（指示）「ボタン」といい得るものである。
　したがって、引用発明も、指示をする「指示ボタン」を備えるといえ、この点では、本願発明と変わりがない。
　もっとも、本願発明の「指示ボタン」は、「このメモリに記録されている画像の外部装置への出力を指示する出力指示ボタン」であるのに対して、
　引用発明の「指示ボタン」は、「印刷手段による印刷処理を含む各種処理の選択に際してオペレータが指示するための」ものであって、「このメモリに記録されている画像の外部装置への出力を指示する出力」指示ボタンとはしていない点で、本願発明と相違する。  
　
　なお、引用発明の「キースイッチ１１５」は、本願発明でいう（指示）「ボタン」といい得る、としたが、
　仮に、構造等において相違があると認定し得たとしても（このときは、この点が追加の相違点として後記２つの相違点に追加されることになる。）、
　この相違が、当業者にとって容易に克服困難な相違とはいえず、後述する本願発明が当業者が容易想到である、との結論に変わりはない。
　
　カ　「前記メモリに記録されている画像を外部装置へ出力する外部出力手段」について、
　引用発明の「画像ステーション」も、「テレビジョン受像機に接続することによって上記電子カメラの記憶手段に記憶された画像データを該テレビジョン受像機に供給する外部テレビ接続手段」を備え、上記構成Ａ「電子カメラ（電子スチルカメラ）と画像ステーションの間のデータの送・受信が可能となり、電子カメラ（電子スチルカメラ）の記憶手段（バッファメモリ２０）に格納した画像データを、Ｉ／Ｏポートを通して画像ステーション側に伝送し、画像ステーションに外部テレビ接続手段で接続された大画面のテレビ受信機に伝送して表示でき」る。
　つまり、電子カメラの記憶手段に記憶された画像データは、
　電子カメラ（デジタルカメラ）→画像ステーション→外部装置であるテレビ受信機、へと伝送される。
　
　したがって、「画像を外部装置へ出力する外部出力手段」を備えるといい得る点では本願発明と相違しないものの、
　外部出力手段が外部装置へ出力する画像が、
　本願発明では、「前記メモリに記録されている」画像としているのに対して、
　引用発明では、「電子カメラの記憶手段に記憶された画像データ」であって、「前記メモリに記録されている」画像とはしていない点で、引用発明と相違する。
　
　キ　「前記画像取込手段による画像の取込みを制御するとともに前記メモリに対する画像の記録を制御する第１の制御手段」について
　引用発明も、「この装着部に装着されたデジタルカメラに記録されている画像を取込む画像取込手段」、および「この画像取込手段により取込まれた画像を記録する記憶手段」を備えるといえることは前記エのとおりであるところ、
　それらの「取込む」動作および「記録する」動作を制御する何らかの「制御手段」も存在しているといいえることは明らかであり、これを、「第１の制御手段」と称しても支障はない。
　したがって、引用発明も「前記画像取込手段による画像の取込みを制御するとともに前記記憶手段に対する画像の記録を制御する第１の制御手段」を備えるものといえ、この限りにおいて、本願発明と引用発明は相違しない。　もっとも、「記憶手段」が「メモリ」であるという点の相違が存在することは、前記エのとおりである。
　
　ク「前記出力指示ボタンが操作された場合に、前記メモリに記録されている画像を前記外部出力手段により外部装置へ出力する第２の制御手段」について
　引用発明も、「画像を外部装置へ出力する外部出力手段」を備えるといい得ることは前記カのとおりであるところ、「画像を前記外部出力手段により外部装置へ出力する」「制御手段」の存在も明らかというべきであり、これを「第２の制御手段」と称しても支障はない。    
　したがって、引用発明も「画像を前記外部出力手段により外部装置へ出力する第２の制御手段」を備えるものといえる。
　もっとも、外部出力手段により外部装置へ出力する画像が、
　本願発明では、「前記出力指示ボタンが操作された場合に、前記メモリに記録されている」画像としているのに対して、
　引用発明では、電子カメラの記憶手段に記憶された画像データであって、「前記出力指示ボタンが操作された場合に、前記メモリに記録されている」画像とはしていない点で相違する。
　
 　 
［４］一致点、相違点 
　以上の対比結果ア〜クによれば、本願発明と引用発明との一致点、相違点は次のとおりであることが認められる。 
　
［一致点］ 
　デジタルカメラを装着可能な装着部と、
　この装着部に装着されたデジタルカメラに記録されている画像を取込む画像取込手段と、
　この画像取込手段により取込まれた画像を記録する
記憶手段
　
指示ボタン
　画像を外部装置へ出力する
外部出力手段
　前記画像取込手段による画像の取込みを制御するとともに前記
記憶手段
　画像を前記外部出力手段により外部装置へ出力する
第２の制御手段
　を備えたことを特徴とするデジタルカメラ用画像ディポジット装置。
 　 
　［相違点１］
　上記
記憶手段
　本願発明では、
　　「メモリ」とするのに対して、
　引用発明では、
　　磁気ディスク装置や、光磁気ディスク装置やハードディスクである点。
  
　［相違点２］
　
指示ボタン
外部出力手段
第２の制御手段
　
　本願発明では、
　
指示ボタン
　　「この記憶手段（メモリ）に記録されている画像の外部装置への出力を指示する出力」指示ボタンとし、
　
外部出力手段が外部装置へ出力する画像
　　「前記記憶手段（メモリ）に記録されている」画像とし、
　
第２の制御手段
　　「前記出力指示ボタンが操作された場合に、前記記憶手段（メモリ）に記録されている画像を前記外部出力手段により外部装置へ出力する」
　とするのに対して、
　
　引用発明では、
　
指示ボタン
　　印刷手段による印刷処理を含む各種処理の選択に際してオペレータが指示するためのものであって、「この記憶手段（メモリ）に記録されている画像の外部装置への出力を指示する出力」指示ボタンとはしておらず、
　
外部出力手段が外部装置へ出力する画像
　　電子カメラの記憶手段に記憶された画像データであって、「前記記憶手段（メモリ）に記録されている」画像とはしていない点
　
第２の制御手段
　　「前記出力指示ボタンが操作された場合に、前記記憶手段（メモリ）に記録されている画像を前記外部出力手段により外部装置へ出力する」とはしていない点。
　
［５］相違点等の判断
　
　（１）［相違点１の克服］、その容易性判断
　
　［相違点１の克服］
　引用発明の、
記憶手段
　
　［相違点１の克服］の容易性
　一般に、画像データを記憶する記憶手段を「メモリ」とすることは、周知慣用｛例えば、下記周知例１でも「メモリ」を用いている。｝であるところ、上記［相違点１の克服］が格別困難であるとは言えず、当業者が容易になし得ることである。｛下記周知例１でも「メモリカード」を用いている(S1.3)｝
　
　（２）［相違点２の克服］、その容易性判断
　
　［相違点２の克服］
　引用発明の、
指示ボタン
　「この記憶手段に記録されている画像の外部装置への出力」を指示する出力指示ボタンを設け、
　
外部出力手段が外部装置へ出力する画像
　
第２の制御手段
　とすることで、上記［相違点２］は克服される。
　
　すなわち、
　(i)；引用発明の
外部出力手段
　(ii)；
指示ボタン
　(iii)；
第２の制御手段
　上記［相違点２］は克服される。
　
　［相違点２の克服］の容易性
　上記［相違点２の克服］は、以下の理由により、当業者が容易になし得ることである。
　
　〈理由〉
　
　ア　引用発明の画像ステーションが備える（デジタルカメラの記憶手段よりも大容量とされた）記憶手段に記憶・保存された画像（デジタルカメラにより撮像した画像）の利用についてみるに、その利用態様は、内蔵する印刷手段で印刷することだけが明示されている。
　しかし、その記憶手段にいかなる画像が記憶されているのか、記憶した画像を確認し管理する必要性があろうことは、ごく普通に想定されることであり、
　そのための手段として、画像ステーションに接続されている外部の大画面のテレビ受信機や、画像ステーションの収納部に結合した、同じく外部装置といいえるデジタルカメラの画像データの表示手段が非常に適していて、これらが利用できれば非常に便利であることは、当業者が極めて普通に想起し得ることである。｛なお、画像ステーションの表示部１５６は、「キースイッチ１５５による印刷箇所の指定、印刷枚数及びカードシールの印刷状態等を表示する」（段落0049）ものであるが、非常に小さい（図１）ものであって、普通、そのようなための手段として想定し得ないものである。｝
　したがって、
　上記(i)；引用発明の
外部出力手段
　そして、そのようにするのに、
　例えば、外部装置（テレビ受信機）に出力する画像を、デジタルカメラの記憶手段に記憶された画像から、画像ステーションの記憶手段に記憶・保存された画像に切り換えたり、デジタルカメラからの画像を取込む入力動作から、画像ステーションの記憶手段に記憶・保存された画像を外部装置（デジタルカメラ）に出力動作するように変更する等のため、
　上記(ii)；
指示ボタン
　上記(iii)；
第２の制御手段
　も、当業者にとって格別困難ともいえず当業者が容易になし得ることである。
　
　イ　また、刊行物１には、その請求項３記載｛前掲(K1)｝のように、画像ステーションが印刷手段を内蔵しないものも記載されており、
　また、前掲(K2)「【００２３】また、上記ステーションは、例えば請求項５に記載されているように、印刷手段を備え、上記電子カメラにより撮像された画像データ若しくは上記テレビジョンチューナにより受信された画像データを印刷するものであっ
てもよく
　画像ステーションとして、「印刷手段」を内蔵しないものも普通に想定し得るものである。
　同時に、そのような「印刷手段」非内蔵の画像ステーションにおいても、画像ステーションが備える「記憶手段」に記憶・保存された画像を印刷できるように外部装置としてプリンタを接続できるようにすることは、当業者がごく普通に想起するというべきである。
　
　すなわち、引用発明の画像ステーションから「印刷手段」を除くことは、当業者が容易になし得ることであり、このとき、その代わりに、
　引用発明の
外部出力手段
　そして、このとき、引用発明の「キースイッチ」（指示ボタン）の機能からみても、上記(ii)および上記(iii)のように構成することも、当業者が容易になし得ることである。
　
　ウ　周知技術からみて
　《周知技術》
　一般に、スチルビデオカメラなどの撮像装置が接続され、撮像装置で撮像された画像を記憶できる記憶手段を内蔵する装置において、当該記憶手段に記憶されている撮像画像を、パソコン、プリンタ等の外部装置に出力できるようにすることは、ごく普通の周知技術にすぎない。
　これには、例えば、下記の周知例１（特開平５−７３５５号公報）(S1.1)〜(S1.3)等、周知例２（特開平４−３２８９７４号公報）(S2.1)〜(S2.6)等が参照される。｛周知例１の「転送装置」、周知例２の「静止画ファイル装置」は、撮像装置で撮像された画像を記憶できる記憶手段を内蔵し、当該記憶手段に記憶されている撮像画像を、パソコン、プリンタ等の外部装置に出力できるようになっている。｝
　
　上記周知技術を、引用発明に適用して上記(i)の構成とすることは、当業者が容易になし得ることである。
　上記(ii)および上記(iii)は、そのような適用を図る上で、当業者にとって格別困難なことともいえず当業者が容易になし得ることである。
　
　エ　まとめ（理由）
　以上のように、上記ア〜ウのいずれによっても、また、上記ア〜ウを総合勘案しても、上記［相違点２の克服］は、当業者が容易になし得ることである。
　
　　　　　記（周知例１、２）
　
　周知例１：特開平５−７３５５号公報
　(S1.1)「【０００８】
【実施例】以下、メモリカードもしくはフロッピディスクに記録された画像データをスチルビデオカメラ等の外部装置に通信手段により伝送する実施例によって本発明を説明する。
【０００９】図２は、本発明の一実施例に係るデータ転送装置１とデジタルスチルビデオカメラ５５，パソコン５６，プリンタ５７等からなる外部装置との接続を説明する図で、データ転送装置１から導出されたマルチコネクタプラグ１ａを介して、上記外部装置の各々との間で圧縮率もしくは伸長率を可変した画像データの転送を行うようになっている。次に、このデータ転送装置１の外観パネル面を説明すると、符号２はフロッピディスク挿入部、３はメモリカード挿入部、４はテンキー、５はパワースイッチでその上方にＬＥＤ表示灯５ａが配設されている。符号６，７は転送方向を指定する押釦スイッチで、６がメモリカードやフロッピーディスクから外部装置への、また７が外部装置からメモリカードやフロッピーディスクへのそれぞれのデータ転送を指定する。そして、これら各スイッチの上方にはＬＥＤ表示灯６ａ，７ａが配設されている。」
　(S1.2)「【００１０】符号８は転送開始を支持するスタートスイッチ、９はエンターキーで上記テンキー４で１桁または２桁の数字を指定した後、このエンターキー９をプッシュすると、指定が終了する。５１，５２は圧縮率を設定する際に、自動で行うか手動で行うかを選択する押釦スイッチで、５１は自動設定用、５２は手動設定用である。」
　(S1.3)「【００２７】〈１〉メモリカードを有するデジタルスチルビデオカメラで記録した画像データを転送する場合、従来はカメラからメモリカードを抜き出して複写していたのに対し、本実施例では抜き出す必要がなくデータ転送できる。
【００２８】〈２〉パソコンに画像データを転送する場合、パソコン側に圧縮伸長回路がなく、且つそのフォーマットが受信不能でも、本装置の圧縮・伸長回路を介して画像データを転送することにより、パソコンで画像処理等の操作を行うことができる。
【００２９】〈３〉プリンタの場合も同様で、プリンタ側のフォーマットが一定でも、本装置の圧縮・伸長回路により自由にフォーマットを変えてプリンタに転送できる。上記実施例では、複数の記録媒体としてメモリカードとＦＤとを例にして説明したが、本発明はこれに限定されることなく、画像データを転送して複写する複数の記録媒体に広く適用可能なこと勿論である。更に、これら記録媒体はカメラに使用されるものに限定されず、画像情報を取扱うさまざまな分野の電子機器に広く適用可能なことは言うまでもない。」
　
　周知例２：特開平４−３２８９７４号公報
　(S2.1)「【請求項１】　動画から得られる静止画を蓄積する静止画ファイル装置であって、携帯可能に構成された筐体に、上記静止画を画面単位で記憶する少なくとも１画面分のフレームメモリと、上記静止画をファイル情報として蓄積する光ディスクメモリ装置とを内蔵し、上記動画をビデオ信号として静止画ファイル装置に入力し、連続的あるいは一定間隔毎に静止画情報に変換して上記フレームメモリに順次格納し、さらにこの静止画情報を光ディスクメモリ装置に順次転送して１画面毎に静止画ファイルとして蓄積するとともに、上記光ディスクメモリ装置上の静止画ファイルを上記フレームメモリに転送した後、動画情報に変換し出力すること特徴とする静止画ファイル装置。
【請求項２】　請求項１において、上記筐体には、外部装置から動画を入力する入力部と、光ディスクメモリ装置にファイルされた静止画を外部装置に出力する出力部と、上記動画の入出力および静止画ファイルの検索を指示する操作部とを有することを特徴とする静止画ファイル装置。」
　(S2.2)「【０００２】
【従来の技術】従来、動画情報を静止画の情報として記憶する装置としては、静止画を撮像するスチルビデオカメラと、この静止画を展開するフレームメモリ装置と、上記スチルビデオカメラからの静止画情報をフレームメモリ装置に取り込むための入力装置と、フレームメモリ装置からの静止画情報をファイルする大容量のメモリ装置と、これら各装置における情報の転送等の動作を全体的に制御する制御装置とを有するシステムが知られている。
【０００３】上記スチルビデオカメラは、２次元エリアセンサ等で得た画像情報を小型のフロッピーディスクや、カード型のＩＣメモリ等に記録する構成となっている。
【０００４】また、フレームメモリ装置としては半導体メモリ等が用いられ、ファイル用の大容量メモリ装置には、光ディスクメモリ装置等が用いられる。
【０００５】さらに、上記制御装置としては、パーソナルコンピュータ等が普及しており、オペレータによるキー操作によって所定のプログラムを実行し、上記各制御処理を行なう。
【０００６】
【発明が解決しようとする課題】しかしながら、上記従来技術においては、各装置は、個別に構成されており、特に、静止画をファイルするための中核装置となる各種メモリが相互に分散され、それぞれケーブルにより接続されていることから、容易に携帯することができず、機能性に欠けるという欠点がある。
【０００７】また、パーソナルコンピュータを用いて制御する構成においては、機能の汎用性は得られるものの、専用の装置としては機能性を欠き、操作が煩雑となり、簡便なファイル装置としての構成はとりづらくなる。
【０００８】また、携帯可能なものとしては、スチルビデオカメラ単独で画像をフロッピーディスク等に記録することも可能であるが、メモリ容量が少なく、画像の分解能がそれほど良くない上に、記録可能枚数も数十枚程度であり、ファイルシステムとしては十分な活用に耐えないものとなっていた。
【０００９】そこで、本発明は、十分な容量を備えるとともに携帯可能で機能性に優れた静止画ファイル装置を提供することを目的とする。」
　(S2.3)「【００１０】
【課題を解決するための手段】本発明では、携帯可能に構成された筐体に、フレームメモリと光ディスクメモリ装置とを内蔵させて専用の静止画ファイル装置を構成したことから、このファイル装置を携帯して種々の場所に容易に搬送でき、また独自の制御により動画の入力動作や静止画の出力動作を行なうことができる。したがって、このファイル装置にビデオ信号等を入力する装置を接続して静止画ファイルを蓄積したり、あるいはこのファイル装置を出力装置に接続して静止画ファイルを出力する等の作業を容易かつ柔軟に行なうことができ、機能性に優れたファイル装置として広く活用することができる。」
　(S2.4)「【００１９】以上のような構成により、静止画ファイル装置１は、ビデオ入力装置１６から入力されるビデオ信号と音声情報に基いて、静止画情報とディジタル音声情報のファイルを光ディスクメモリ２１に蓄積する。
【００２０】ビデオ入力装置１６は、画像および音声の入力装置として用いる。ここでのビデオ入力装置１６としては、高速の電子シャッタ機能を備えたものが望ましい。」
　(S2.5)「【００２６】また、この静止画ファイル装置１は、ＣＰＵ３による独自の制御に加えてパーソナルコンピュータ等の外部制御装置１７により制御することが可能となっており、このような外部制御装置１７により静止画ファイル装置１を制御する場合に用いるインターフェイス７と、フロッピディスクメモリ、ＩＣカードメモリ、光ディスクメモリなどの外部メモリ録再装置１８と情報の送受を行なうための外部メモリインターフェイス８とを有する。
【００２７】外部制御装置１７は、上述のようにパーソナルコンピュータ等であり、静止画ファイル装置１を制御してビデオ入力装置１６より送られる画像、音声の情報をファイルする動作を実行させることができる。また、光磁気ディスクメモリ２１に記録されている画像および音声ファイルを加工することができる。さらに、静止画ファイル装置１を外部制御装置１７の外部メモリとしても使用できる。
【００２８】外部メモリ録再装置１８は、上述のように、フロッピディスクメモリ、ＩＣメモリカード、光ディスクメモリなどであり、静止画ファイル装置１と画像および音声などの情報を送受できる。」
　(S2.6)「【００６７】以上、静止画ファイル装置１における情報の記憶または再生、ファイル管理の手順について説明してきたが、他の操作内容としては、外部制御装置１７による静止画ファイル装置１の制御と記憶されるファイルの加工処理、外部メモリ１８への送受、ビデオプリンタ２０への出力等がある。」
　
　（３）まとめ（相違点等の判断）
　以上、引用発明を出発点として、上記［相違点１］、［相違点２］の克服を合わせて行うことで、本願発明の構成に達するところ、これらの克服を合わせて行うことも当業者が容易になし得ることである。
　そして、本願発明の構成は、上記のとおり当業者容易想到であるところ、本願発明の効果は、その容易想到である構成から当業者が予測し得る範囲内のものであり、同範囲を超える格別顕著なものでもない。
　
【第４】むすび 
　
　以上のとおり、本願の請求項１に係る発明は、上記刊行物１に記載された発明および周知技術に基づいて当業者が容易に発明をすることができたものであるから、特許法第２９条第２項の規定により特許を受けることができない。 
　それ故、本願の他の請求項について検討するまでもなく、本願は拒絶すべきものである。
　
　よって、結論のとおり審決する。